(57)【要約】      （修正有）【課題】ラックを変更することなく、飼育スペースを変更できる実験小動物用飼育装置を提供する。【解決手段】天板を有し、４本の支柱の間に上下方向に等間隔で棚板を複数配列してなるラックと、この棚板の表裏両面に、ラックの正面側から背面側へと向かう側面板起立用突条を、所定間隔をあけて複数対設け、この側面板起立用突条間に床板８を配置すると共に、側面板起立用突条に側面板１０をこれ設けた嵌合溝を嵌合して起立し、この側面板１０に正面板７と背板９を連結してなる飼育ケージ６とからなる。そして、隣接する飼育ケージ６間の側面板１０を外し連結するときは、飼育ケージ６間の隙間に隙間枠を嵌合する。【選択図】図２
0003187774.tif 000002
【実用新案登録請求の範囲】
【請求項１】
天板を有し、４本の支柱の間に上下方向に等間隔で複数の棚板を架設してなるラックと、
この棚板の表裏両面に、ラックの正面側から背面側へと向かう側面板起立用突条を、所定間隔をあけて複数対設け、この側面板起立用突条間に床板を配置すると共に、側面板起立用突条に側面板を、これに設けた嵌合溝を嵌合して起立し、この側面板に正面板と背板を連結してなる飼育ケージとからなり、
隣接する飼育ケージを、間の側面板を外して連結自在にすることを特徴とする実験小動物用飼育装置。
【請求項２】
前記隣接する飼育ケージ間の側面板を外し連結する際に、飼育ケージ間の隙間に隙間枠を嵌合することを特徴とする請求項１に記載の実験小動物用飼育装置。
【請求項３】
前記側面板起立用突条は、上面が曲面であり、側面に床板載置用の突起を有することを特徴とする請求項１又は２に記載の実験小動物用飼育装置。
【請求項４】
前記側面板起立用突条は正面側と背面側が棚板の奥行より短く、
前記床板は前後両端部を横方向に長くし、側面板起立用突条を前後から挟む形状とすることを特徴とする請求項１乃至３に記載の実験小動物用飼育装置。
【請求項５】
前記正面板及び背板は、横幅が通常のサイズのものの他に、隣接する飼育ケージとその間の隙間を含めた分までを含めた大きさのものを用意することを特徴とする請求項１乃至４のいずれか１項に記載の実験小動物用飼育装置。
【考案の詳細な説明】
【技術分野】
【０００１】
本考案は、飼育ケージと、この飼育ケージを多数収容するラックとからなる実験小動物用飼育装置に関する。
【背景技術】
【０００２】
実験小動物用飼育装置は、実験用のマウス、ラットなど（以下、「実験小動物」という）を、単独又は小グループで飼育ケージに入れて、清浄な環境の下、飼育するための装置であり、飼育ケージを多数並べてラックに収容し、空調などの設備と接続する。
この飼育ケージを構成する正面板、床板、背板及び一対の側面板を、それぞれ分離自在にして、清掃を容易にした実験小動物用飼育装置がある（特許文献１）。
【０００３】
しかし、この特許文献１に記載の装置は、飼育スペースを変更できず、単独で飼育する場合と小グループで飼育する場合とを同じ広さで行うことになる。
したがって、単独飼育用のスペースに合せた場合には、小グループで飼育するときには狭すぎる。また、小グループ飼育用のスペースに合せた場合には、単独で飼育するときに広すぎてスペースを無駄にするという不具合がある。
【先行技術文献】
【特許文献】
【０００４】
【特許文献１】特開平９−３７６７１号公報
【考案の概要】
【考案が解決しようとする課題】
【０００５】
本考案の課題は、ラックを変更することなく、飼育スペースを変更できる実験小動物用飼育装置を提供することである。
【課題を解決するための手段】
【０００６】
請求項１記載の考案は、天板を有し、４本の支柱の間に上下方向に等間隔で棚板を複数配列してなるラックと、この棚板の表裏両面に、ラックの正面側から背面側へと向かう側面板起立用突条を、所定間隔をあけて複数対設け、この側面板起立用突条間に床板を配置すると共に、側面板起立用突条に側面板をこれ設けた嵌合溝を嵌合して起立し、この側面板に正面板と背板を連結してなる飼育ケージとからなり、隣接する飼育ケージを、間の側面板を外して連結自在にする。
【０００７】
請求項２記載の考案は、前記隣接する飼育ケージ間の側面板を外し連結する際に、飼育ケージ間の隙間に隙間枠を嵌合することを特徴とする。
【０００８】
請求項３記載の考案は、前記側面板起立用突条は、上面が曲面であり、側面に床板載置用の突起を有することを特徴とする。
【０００９】
請求項４記載の考案は、前記側面板起立用突条は正面側と背面側が棚板の奥行より短く、前記床板は前後両端部を横方向に長くし、側面板起立用突条を前後から挟む形状とすることを特徴とする。
【００１０】
請求項５記載の考案は、前記正面板、床板及び背板は、横幅が通常のサイズのものの他に、隣接する飼育ケージとその間の隙間を含めた分までの大きさを含めた大きさのものを用意することを特徴とする。
【考案の効果】
【００１１】
請求項１記載の考案は、ラックの棚板の表裏両面に、ラックの正面側から背面側へと向かう側面板起立用突条を、所定間隔をあけて複数対設け、この側面板起立用突条間に床板を配置すると共に、側面板起立用突条に側面板に設けた溝を嵌合して側面板を起立し、この側面板に正面板と背板を連結してなる飼育ケージとからなり、隣接する飼育ケージを、間の側面板を外して連結自在にするので、ラックを変更することなく、飼育スペースを変更できる。
【００１２】
請求項２記載の考案は、隣接する飼育ケージ間の側面板を外し連結する際に、飼育ケージ間の隙間に隙間枠を嵌合するので、前記請求項１の効果に加えて、飼育スペースを変更する際に、側板を外すことによる隙間が生じないという効果がある。
【００１３】
請求項３記載の考案は、側面板起立用突条は上面が曲面であるので、飼育ケージのスペースを大きくした場合に、側面板起立用突条が実験小動物の移動の妨げとならない。また、側面板起立用突条は側面に床板載置用の突起を有するので、床板を載置し易い。
【００１４】
請求項４記載の考案は、側面板起立用突条は正面側と背面側が棚板の奥行より短く、床板は前後両端部を横方向に長くし、側面板起立用突条を前後から挟む形状とするので、飼育ケージの前後方向への滑動を防ぐことができる。
【００１５】
請求項５記載の考案は、正面板、床板及び背板は、横幅が通常のサイズのものの他に、隣接する飼育ケージとその間の隙間を含めた分までの大きさを含めた大きさのものを用意するので、隙間枠なしに飼育ケージを形成できる。
【図面の簡単な説明】
【００１６】
【図１】実験小動物用飼育装置の正面図である。
【図２】飼育ケージを構成する部材の分解斜視図である。
【図３】側面板起立用突条の縦断面図である。
【図４】側面板起立用突条の配置の一例を示す平面図であり、真中に床板を配置した状態である。
【図５】床板と連結した状態の正面板の平面図である。
【図６】正面板又は背板と側面板との連結を示す図であり、（１）は連結直前の正面図、（２）は連結状態の要部拡大図である。
【図７】起立した状態の隙間枠の斜視図である。
【図８】正面板及び背板の横幅を約２倍にした飼育ケージの平面図である。
【図９】正面板及び背板の横幅を約３倍にした飼育ケージの平面図である。
【図１０】正面板と側面板とを抜き差し蝶番を使用して連結した状態の要部拡大図である。
【考案を実施するための形態】
【００１７】
本考案の第１実施形態について以下図面と共に説明する。
なお、空調、給餌、清掃に係る設備は、公知のものを使用するので、各図において図示を省略する。また、飼育ケージは各棚板上に多数配列可能であるが、説明の便宜上３つ並ぶものを例にする。
【００１８】
１は天板を有するラックであり、４本の支柱２の間に複数の棚板３を上下方向に等間隔で架設してなる。
各棚板３の表裏両面には、ラック１の正面側から背面側へと向かう側面板起立用突条５を、所定の間隔で４条設ける。
例えば１条目の側面板起立用突条５を棚板３の端部から１０ｃｍあけて設け、次に、２条目の側面板起立用突条５を６０ｃｍ（＝間隔ｗ１）あけて設ける。さらに続けて、３条目、４条目の側面板起立用突条５をそれぞれ間隔ｗ１あけて設ける（図４）。
さらに、各段において上下に対向する側面板起立用突条５，５を同じ鉛直線状に設ける。
側面板起立用突条５は、上面５ａが曲面で、側面に床板載置用の突起５ｂを有し、この床板載置用の突起５ｂからの高さが収容する実験小動物が容易に跨げる程度の高さ（約１ｃｍ）である（図３）。
また、この側面板起立用突条５は正面側と背面側が棚板より約２ｃｍ（＝正面板７と背板９の厚さ分）短くなっている。
【００１９】
６は直方体状の飼育ケージであり、正面板７、床板８、背板９及び一対の側面板１０，１０により形成される（図２）。
１１は、２つの飼育ケージ６，６間の隙間に嵌合する隙間枠である（図７）。
【００２０】
正面板７は、縦が上下に隣接する棚板３，３の間隔と略同じで、横が側面板起立用突条５，５間の間隔ｗ１とほぼ同じ矩形状のものであり、左右両縁に側縁板７ａ，７ａを有する。そして、この側縁板７ａ，７ａの一方（図５では左側）に蝶番７ｂを介し格子状の扉部材７ｃを開閉自在に取付けたものであり、側縁板７ａ，７ａの他方（図５では右側）には、扉部材７ｃに設けた扉固定部材７ｄと係合し、扉部材７ｃを閉じる閉鎖部材７ｅを固設する。中央部の矩形状の孔は、給餌器固定用孔７ｆである。正面板７の裏面にはフック７ｇ，７ｇを設ける。
床板８は、縦がラック１の奥行と略同じで、横が側面板起立用突条５，５間の間隔ｗ１と略同じ大きさで、上面部が開放したトレー状のものである。この上面部の開口に内側に向けて床網支持用部材８ａを突設し、この床網支持用部材８ａで床網１３を支持固定する。さらに、この床板８の前後両端部を図２に示すように、横方向に長くし、側面板起立用突条５を前後から挟む形状とする。
背板９は、正面板７と同じ大きさの矩形状の板であり、背面にフック９ｇ，９ｇを有する。
側面板１０は、縦が上下に隣接する棚板３，３の間隔と略同じで、横がラック１の奥行と略同じ大きさの厚さ２ｃｍの矩形状の板である。この側面板１０は、起立した状態の上面及び底面に、側面板起立用突条５に嵌合する嵌合溝１０ａ，１０ａをそれぞれ有する。また、起立した状態の正面側と背面側にそれぞれ２本ずつ引掛け棒１０ｂを横設する。
これら引掛け棒１０ｂには、前記正面板７に設けたフック７ｇ，７ｇや背板９に設けたフック９ｇ，９ｇを引掛けて連結する（図６）。
隙間枠１１は、側面板１０と同じ大きさの矩形状の枠であり、起立した状態の上面及び底面に、側面板起立用突条５に嵌合する嵌合溝１１ａ，１１ａをそれぞれ有する。また側面板１０と同様に、引掛け棒１１ｂ，１１ｂを取付ける。
【００２１】
そして、横幅６０ｃｍの飼育ケージ６は、以下のように形成する。
先ず、床板８を、間隔ｗ１離間した側面板起立用突条５の突起５ｂ，５ｂ上に載置する。
次に、この側面板起立用突条５，５に溝１０ａ，１０ａを嵌合して、側面板１０，１０を起立する。
次に、図６に示すように、側面板１０に設けた引掛け棒１０ｂに正面板７に設けたフック７ｇ，７ｇと背板９に設けたフック９ｇ，９ｇを引掛けて連結する。
前記に隣接する２つの側面板起立用突条５との間にも前記と同様に横幅６０ｃｍの飼育ケージ６を形成し、３つ並んだ飼育ケージ６を形成する。
【００２２】
また、横幅が前記の約２倍の１２２ｃｍの飼育ケージ６は、以下のように形成する。
前記と同様に先ず、床板８を、棚板３上の間隔ｗ１離間した側面板起立用突条５，５間に配置する。次に、これと隣接した間隔ｗ１離間した側面板起立用突条５と間に、もう一枚の床板８を配置する。二枚の床板８，８は、側面板起立用突条５の幅だけ離間して配置される。
次に２枚並んだ床板８，８の両端の側面板起立用突条５，５に側面板１０，１０を起立し、床板８，８間の側面板起立用突条５に隙間枠１１を起立する。
次に、それぞれ２枚の正面板７、背板９を、側面板１０に設けた引掛け棒１０ｂや隙間枠１１に設けた引掛け棒１１ｂに、それぞれに設けたフック７ｇ，７ｇやフック９ｇ，９ｇを引掛けて連結する。
【００２３】
同様に、横幅が前記の約３倍の１８４ｃｍの飼育ケージ６は、以下のように形成する。
先ず、床板８を、棚板３上の間隔ｗ１離間した側面板起立用突条５，５間に配置する。さらに、これと隣接して間隔ｗ１離間した側面板起立用突条５と間にもう一枚の床板８を配置すると共に、さらにその隣の間隔ｗ１離間した側面板起立用突条５と間に床板８を配置する。次に３枚並んだ床板の両端に側面板１０，１０を起立し、床板８，８間の２つの側面板起立用突条５，５にそれぞれ隙間枠１１，１１を起立する。
次に、それぞれ３枚の正面板７、背板９を、側面板１０に設けた引掛け棒１０ｂや隙間枠１１に設けた引掛け棒１１ａに、それぞれに設けたフック７ｇ，７ｇやフック９ｇ，９ｇを引掛けて連結する。
【００２４】
なお、前記実施形態では、飼育ケージの横幅を変更した際に、隙間板１１を使用しているが、収容している動物に支障がなければ、これを用いず、正面側及び背面側に側面板１０の厚さの約２ｃｍの隙間が生じさせることも可能である。
【００２５】
本考案の第２実施形態について以下図面と共に説明する。前記第１実施形態との違いは、正面板７、床板８、背板９の横幅である。
すなわち、第１実施形態では正面板７、背板９の横幅を同じ大きさ（６０ｃｍ）にしたが、第２実施形態では、横幅が約２倍（１２２ｃｍ）のもの（図８）、約３倍（１８４ｃｍ）のもの（図９）を用意する。
このように構成すると、大きさの異なる板を用意するという煩雑さはあるが、隙間枠１１が不要になる。
【００２６】
前記各実施形態では、正面板７と背板９を、側面板１０や隙間枠１１に連結する手段として、フックと引掛け棒を使用したが、本考案はこれに限るものではなく、公知の各種手段を使用して連結してもよい。
例えば、正面板７の左側の側縁板７ａを無くし、側面板１０に取付けた抜差し蝶番の一方１３ｂと、抜差し蝶番の他方１３ａを介して開閉自在に連結してもよい（図１０）。
【符号の説明】
【００２７】
１    ラック
３    棚板
５    側面板起立用突条
６    飼育ケージ
７    正面板
８    床板
９    背板
１０  側面板
１０ａ，１１ａ  嵌合溝
１１  隙間枠
【図１】
0003187774.tif 000003
【図２】
0003187774.tif 000004
【図３】
0003187774.tif 000005
【図４】
0003187774.tif 000006
【図５】
0003187774.tif 000007
【図６】
0003187774.tif 000008
【図７】
0003187774.tif 000009
【図８】
0003187774.tif 000010
【図９】
0003187774.tif 000011
【図１０】
0003187774.tif 000012